(57)【要約】【課題】ホームページを作成することによって、会社案内パンフレットを印刷するために必要な印刷用データ（会社案内データファイル）を容易に作成することができる、会社案内データファイル作成機能付きのホームページ作成システムを提供する。【解決手段】ユーザーのホームページ掲載情報入力操作を受け付けるＨＰ掲載情報入力画面を端末機の表示部に表示し、ユーザーから入力されたＨＰ掲載情報を用いてホームページを作成するホームページ作成手段を備えたホームページ作成システムにおいて、ユーザーから入力されたＨＰ掲載情報３を流用して会社案内データファイル１を作成する会社案内データファイル作成手段を備えた、会社案内データファイル作成機能付きのホームページ作成システムとした。ＨＰ掲載情報３を流用するほか、ユーザーから入力された会社案内掲載情報５を用いて会社案内データファイル１を作成してもよい。【選択図】図１
2010118029.tif 000002
【特許請求の範囲】
【請求項１】
ユーザーのホームページ掲載情報入力操作を受け付けるＨＰ掲載情報入力画面を端末機の表示部に表示し、前記ＨＰ掲載情報入力画面に対してユーザーから入力されたＨＰ掲載情報を用いてホームページを作成するホームページ作成手段を備えたホームページ作成システムにおいて、
ユーザーから入力された前記ＨＰ掲載情報を流用して会社案内データファイルを作成する会社案内データファイル作成手段を備えた、
会社案内データファイル作成機能付きのホームページ作成システム。
【請求項２】
会社案内データファイル作成手段が、
ユーザーから入力されたＨＰ掲載情報を流用するとともに、
ユーザーの会社案内掲載情報入力操作を受け付ける会社案内掲載情報入力画面を端末機の表示部に表示し、前記会社案内掲載情報入力画面に対してユーザーから入力された会社案内掲載情報も用いて、
会社案内データファイルを作成する、
請求項１記載の会社案内データファイル作成機能付きのホームページ作成システム。
【請求項３】
会社案内データファイル作成手段で作成された会社案内データファイルがｐｄｆ形式であり、
該ｐｄｆ形式の会社案内データファイルを記憶装置に記憶する会社案内データファイル記憶手段を備えた、
請求項１又は２記載の会社案内データファイル作成機能付きのホームページ作成システム。
【発明の詳細な説明】
【技術分野】
【０００１】
本発明は、インターネットを介して閲覧可能なホームページを作成するホームページ作成システムに関する。詳しくは、会社案内データファイルを作成する機能を備えた、会社案内データファイル作成機能付きのホームページ作成システムに関する。
【背景技術】
【０００２】
近年、パーソナルコンピュータをはじめとする情報処理装置、及びインターネットをはじめとするネットワーク技術の普及が著しい。これに伴い、各種コンテンツを掲載した様々なホームページ（以降、ＨＰと称することがある）が提供されている。ホームページは、企業や個人の情報発信ツールとして極めて有効なものであり、今後ますます増加の一途を辿ると考えられる。
【０００３】
このようなホームページは、いわゆるＨＴＭＬ（HyperText Markup Language）やＸＭＬ（Extensible Markup Language）等のマークアップ言語を用いて作成する必要があることから、ホームページを作成するにあたっては、マークアップ言語を理解する必要がある。そのため、マークアップ言語についての知識に乏しいユーザーにとっては、ホームページを作成することは困難であった。そこで、このようなユーザーの要望に応えるべく、ホームページの作成を容易に行うための技術が、例えば特許文献１に記載されている。
【０００４】
特許文献１には、「クライアント端末からの要求に応じて、ホームページ記述言語で記述されたホームページを提供するサーバーであって、ホームページ記述言語で記述され、少なくとも、ホームページ作成に必要な内容が入力可能に記述されたホームページ作成画面テンプレートをクライアント端末に送出するホームページ作成画面出力手段を具備し、前記ホームページ作成画面テンプレートによって、ホームページ作成に必要な内容を収集することを特徴とするホームページ作成装置」が記載されている。そして、これによって「ホームページ作成言語の習得が不要になり、容易にホームページを作成することができるという利点が得られる」と記載されている。
【０００５】
【特許文献１】特開２０００−０６７０３８号公報（請求項１、発明の効果）
【０００６】
一方で、企業等の情報発信の手段としては、従来からある印刷物としての会社案内パンフレットも依然として重要なものである。このような会社案内パンフレットは、企業からデザイン事務所に発注されてデザインやレイアウトが決定され、デザイン事務所で作成された会社案内データファイルを印刷会社で印刷、製本化して得られることが通常であった。
【発明の開示】
【発明が解決しようとする課題】
【０００７】
このように、企業等における情報発信の手段としては、ホームページや会社案内パンフレットによるものがあり、また、両者は共通する掲載情報を用いるにもかかわらず、これらの作成時に両者を関連付けるような思想は存在していなかった。例えば、特許文献１記載のホームページ作成装置を用いることで社内でホームページの作成や更新ができたとしても、これと共通する掲載情報を用いる会社案内パンフレットは、依然として、掲載情報の入力やデザインも含めてデザイン事務所等の外部業者に別途発注する必要があった。
【０００８】
本発明は、上述の事柄に留意してなされたものであって、ホームページを作成することによって、会社案内パンフレットを印刷するために必要な印刷用データ（会社案内データファイル）を容易に作成することができる、会社案内データファイル作成機能付きのホームページ作成システムを提供することを目的とする。
【課題を解決するための手段】
【０００９】
上記課題を解決するために、ユーザーのホームページ掲載情報入力操作を受け付けるＨＰ掲載情報入力画面を端末機の表示部に表示し、ＨＰ掲載情報入力画面に対してユーザーから入力されたＨＰ掲載情報を用いてホームページを作成するホームページ作成手段を備えたホームページ作成システムにおいて、ユーザーから入力されたＨＰ掲載情報を流用して会社案内データファイルを作成する会社案内データファイル作成手段を備えた、会社案内データファイル作成機能付きのホームページ作成システムとした。
ここで、「会社案内データファイル」は、複数頁に亘る会社案内パンフレットを印刷するために必要なデータファイルである。会社案内パンフレットとしては、例えば、Ａ３サイズの用紙の両面に所望の情報を印刷したものを長手方向の中央部から折り曲げて得られた、表紙と裏表紙を含めて４頁からなるＡ４サイズのものなどがある。
また、「ユーザーから入力されたＨＰ掲載情報を流用して」とは、入力されたＨＰ掲載情報の全てを流用する場合と一部のみを流用する場合の両方を含んだ概念である。
【００１０】
上記発明によれば、ホームページを作成するためにユーザーから入力されたＨＰ掲載情報を流用して会社案内データファイルを作成する会社案内データファイル作成手段を備えているため、ホームページを作成することによって、会社案内パンフレットを印刷するために必要な会社案内データファイルを容易に作成することができる。また、重複した情報を入力する手間も省ける。
作成された会社案内データファイルは、例えば、自社内で印刷して会社案内パンフレットを作成するために用いることができる。
【００１１】
このとき、会社案内データファイル作成手段が、ユーザーから入力されたＨＰ掲載情報を流用するとともに、ユーザーの会社案内掲載情報入力操作を受け付ける会社案内掲載情報入力画面を端末機の表示部に表示し、会社案内掲載情報入力画面に対してユーザーから入力された会社案内掲載情報も用いて、会社案内データファイルを作成する、会社案内データファイル作成機能付きのホームページ作成システムとすることが好ましい。
【００１２】
ユーザーから入力されたＨＰ掲載情報に加えて上記会社案内掲載情報も用いて会社案内データファイルを作成することで、会社案内パンフレット固有の情報が追加され、デザイン性や情報性に優れた会社案内データファイルを作成できる。
また、会社案内データファイル作成手段は、ユーザーの会社案内掲載情報入力操作を受け付ける会社案内掲載情報入力画面を端末機の表示部に表示し、この会社案内掲載情報入力画面に対してユーザーから会社案内掲載情報が入力される。これによって、会社案内掲載情報の入力作業が容易になる。会社案内掲載情報入力画面は、ＨＰ掲載情報入力画面と択一的に表示されるようにしてもよいし、同一画面上に表示されるようにしてもよい。
【００１３】
会社案内データファイル作成手段で作成された会社案内データファイルがｐｄｆ形式であり、このｐｄｆ形式の会社案内データファイルを記憶装置に記憶する会社案内データファイル記憶手段を備えた、会社案内データファイル作成機能付きのホームページ作成システムとすることも好ましい。
【００１４】
ｐｄｆ形式のファイルは印刷業界においてデータファイルとして広く利用されており、記憶装置に記憶されたｐｄｆ形式の会社案内データファイルを例えば複製等して印刷業者に渡すことができ、自社内で印刷するよりも美しい仕上がりの会社案内パンフレットを容易に作成することができる。
【発明の効果】
【００１５】
本発明により、ホームページを作成することによって、会社案内パンフレットを印刷するために必要な印刷用データ（会社案内データファイル）を容易に作成することができる、会社案内データファイル作成機能付きのホームページ作成システムを提供することができる。
【発明を実施するための最良の形態】
【００１６】
以下、本発明の実施形態を例示説明する。本発明の会社案内データファイル作成機能付きのホームページ作成システム（以下、本発明のホームページ作成システムと称することがある）は、ホームページ作成手段と、会社案内データファイル作成手段と、会社案内データファイル記憶手段と、を備えている。また、以下に例示説明する実施形態は、いわゆるＡＳＰ（Application Service Provider）サービスとして本発明を具現化したものである。なお、本発明は以下の実施形態に限定されるものではない。
【００１７】
［システムの構成］
具体的には、本発明のホームページ作成システムは、図３に示すように、ＡＳＰサービスとしてのホームページ作成サービス（本発明のホームページ作成システムを提供するサービス）のユーザーが操作するユーザー端末機７と、当該ホームページ作成サービスを提供する運営者が管理するサーバー装置８とが、インターネット９等のネットワーク網を介して接続されて構成されるものである。なお、ＡＳＰサービスにおいて、通常、ユーザー及びユーザー端末機７は複数存在しているが、図３ではこれらを省略してある。
【００１８】
ユーザー端末機７は、例えば、パーソナルコンピュータの他、携帯電話機や携帯情報端末機（Personal Digital Assistant；ＰＤＡ）等から構成され、本発明のホームページ作成システムのユーザーによって操作されるものである。具体的には、ユーザー端末機７は、各部を統括的に制御するＣＰＵ（Central Processing Unit）と、各種プログラムを含む各種情報を格納する読み取り専用のＲＯＭ（Read Only Memory）と、ワークエリアとして機能するＲＡＭ（Random Access Memory）と、各種情報を読み出し及び／又は書き込み可能に記憶する記憶部（記憶装置）と、外部のネットワークに接続して通信を行う通信部と、ユーザーインターフェースとしての所定の操作デバイスを介した入力操作の処理及び制御を行う入力操作制御部と、各種情報を表示する表示部とを備える。
【００１９】
サーバー装置８は、本発明のホームページ作成サービスを提供する運営者が管理するＡＳＰサーバーファームであり、アクセスしてきたユーザー端末機７からの要求に応じて、会社案内データファイル作成機能付きのホームページ作成プログラムを実行し、ＨＴＭＬやＸＭＬ等のマークアップ言語を用いて、当該ユーザー端末機７のユーザーのホームページを作成してデータベースとして管理するととともに、ユーザーの会社案内パンフレットを印刷するために必要なデータファイルである会社案内データファイルを作成する。
具体的には、サーバー装置８は、ユーザー端末機７と同様の各部を備えるものとして構成され、例えば、いわゆるリナックス（Linux（登録商標））に、プロキシ機能やＳＳＬ（Secure Sockets Layer）対応等の機能をモジュールとして追加できるアパッチ（Apache）を移植したウェブサーバーとして構成することができる。
【００２０】
［ホームページ作成手段］
本発明の構成要素であるホームページ作成手段は、ユーザーのホームページ掲載情報入力操作を受け付けるＨＰ掲載情報入力画面を端末機の表示部に表示し、このＨＰ掲載情報入力画面に対してユーザーから入力されたＨＰ掲載情報を用いてホームページを作成する手段であり、このようなホームページ作成手段自体は公知技術である。よって、ホームページ作成手段としては、種々の出願時公知の手段およびこれらの手段と均等な手段を用いることができる。例えば、上述した特許文献１記載の手段等を用いることができる。
【００２１】
具体的には、例えば、ユーザー端末機７が、ＣＰＵの制御のもとに、サーバー装置８に対してアクセスし、当該サーバー装置８によって提供されるＡＳＰサービスを利用し、サーバー装置８の指令によってユーザー端末機７の表示部に表示されたウェブ形式のＨＰ掲載情報入力画面からユーザーがＨＰ掲載情報を入力することにより、当該サーバー装置８にホームページを作成させることができる。
【００２２】
サーバー装置８から見れば、サーバー装置８は、アクセスしてきたユーザー端末機７からの要求に応じて、ＣＰＵの制御のもとに、本発明のホームページ作成プログラム（本発明のホームページ作成システムに用いられているプログラム）を実行し、ホームページを作成するためのウェブ形式のＨＰ掲載情報入力画面を当該ユーザー端末機７の表示部に表示させる。そして、サーバー装置８は、ユーザー端末機７の表示部に表示させたＨＰ掲載情報入力画面を介してユーザーによって入力されたＨＰ掲載情報を受信すると、ＣＰＵの制御のもとに、この情報入力に基づいてホームページを作成し、作成したホームページを当該ユーザー端末機７の表示部に表示させるとともに、記憶部（記憶装置）に形成されたデータベースに格納する。
【００２３】
［会社案内データファイル作成手段］
本発明の構成要素である会社案内データファイル作成手段は、ユーザーから入力されたＨＰ掲載情報を流用して（用いて）会社案内データファイルを作成する。
具体的には、例えば、サーバー装置８の指令によって、予め用意された会社案内データファイルテンプレートに、ユーザーから入力されたＨＰ掲載情報を挿入して会社案内データファイルを作成する手段等を用いることができる。また、ユーザーから入力されたＨＰ掲載情報に加えて後述する会社案内掲載情報を会社案内データファイルテンプレートに挿入するようにしてもよい。会社案内データファイルテンプレートは、例えば、マークアップ言語を用いて作成すればよい。
【００２４】
会社案内掲載情報は、例えば、ユーザー端末機７が、ＣＰＵの制御のもとに、サーバー装置８に対してアクセスし、当該サーバー装置８によって提供されるＡＳＰサービスを利用し、サーバー装置８の指令によってユーザー端末機７の表示部に表示されたウェブ形式の会社案内掲載情報入力画面からユーザーが会社案内掲載情報を入力することによって得られる。
【００２５】
サーバー装置８から見れば、サーバー装置８は、アクセスしてきたユーザー端末機７からの要求に応じて、ＣＰＵの制御のもとに、会社案内データファイル作成機能付きのホームページ作成プログラムを実行し、会社案内データファイルを作成するためのウェブ形式の会社案内掲載情報入力画面を当該ユーザー端末機７の表示部に表示させる。そして、サーバー装置８は、ユーザー端末機７の表示部に表示させた会社案内掲載情報入力画面を介してユーザーによって入力された会社案内掲載情報を受信すると、ＣＰＵの制御のもとに、この情報入力に基づいて会社案内データファイルを作成し、作成した会社案内データファイルを当該ユーザー端末機７の表示部に表示させる。後述するように、作成した会社案内データファイルをサーバー装置８又はユーザー端末機７の記憶部（記憶装置）に記憶させてもよい。
【００２６】
作成される会社案内データファイルのファイル形式は特に制限されないが、ｐｄｆ形式であることが好ましい。このとき、例えば、ＨＰ掲載情報及び/又は会社案内掲載情報が挿入された会社案内データファイルテンプレートを直接ｐｄｆ形式の会社案内データファイルに変換すればよい。また、ｐｄｆ形式以外のファイル形式でデータファイルを作成した後、ｐｄｆ形式の会社案内データファイルに変換してもよい。
【００２７】
［会社案内データファイル記憶手段］
本発明の任意構成要素である会社案内データファイル記憶手段は、会社案内データファイル作成手段で作成された会社案内データファイルを記憶装置に記憶する手段である。会社案内データファイルは、サーバー装置８の記憶装置やユーザー端末機７の記憶装置に記憶することができる。
【００２８】
［動作説明］
以下、ユーザー端末機７の表示部に表示される画面例を示しながら、本発明のホームページ作成システムの動作を例示説明する。
【００２９】
１．ホームページの作成
ユーザー端末機７が、サーバー装置８に対してアクセスすると、ユーザー端末機７の表示部に、ユーザー名とパスワードを入力するための画面が表示される（図示せず）。そして、ユーザー名とパスワードを入力すると、図４に示すようなページ一覧画面が表示される。本例の場合、ページ名として『トップページ』、『会社情報』、『スタッフ紹介』、『求人情報』、『会社案内掲載情報』及び『表紙・裏表紙イメージ』が表示されており、それぞれの編集ボタンからＨＰ掲載情報入力画面又は会社案内掲載情報入力画面へのリンクが張られている。なお、上記ページ一覧画面は、図４におけるページ管理タブ又は会社案内作成タブをクリックしたときにも表示される。
【００３０】
このうち、『トップページ』、『会社情報』、『スタッフ紹介』及び『求人情報』の各ページは、それぞれのＨＰ掲載情報入力画面へのリンクが張られ、ホームページを作成するためのＨＰ掲載情報がこれらのリンク先から入力される。
本実施例では、このうち、『会社情報』ページからリンクが張られたＨＰ掲載情報入力画面に入力されたＨＰ掲載情報を、会社案内データファイルを作成するために流用する。
一方、『会社案内掲載情報』及び『表紙・裏表紙イメージ』の各ページは、それぞれの会社案内掲載情報入力画面へのリンクが張られて、会社案内データファイルを作成するための会社案内掲載情報がこれらのリンク先から入力される。
【００３１】
即ち、会社案内データファイルを作成するための会社案内データファイル作成手段は、『会社情報』ページからリンクが張られたＨＰ掲載情報入力画面に入力されたＨＰ掲載情報を流用するとともに、『会社案内掲載情報』及び『表紙・裏表紙イメージ』の各ページからリンクが張られた会社案内掲載情報入力画面に入力された会社案内掲載情報も用いて会社案内データファイルを作成するように構成されている。以上に述べた関係を図５に模式的に示す。
なお、説明は省略するが、ページの削除や追加、ページ名の変更などは自由に行えるようにシステムが構成されている。
【００３２】
なお、本実施形態では図４に示すように『会社案内掲載情報』の表示欄は非表示となっているが、非表示ボタンをクリックして表示に変えると、『会社案内掲載情報』ページからリンクが張られた会社案内掲載情報入力画面に入力された会社案内掲載情報も用いて、ホームページが作成されるようにシステムが構成されている。この場合、入力された会社案内掲載情報はＨＰ掲載情報の位置付けとなり、このＨＰ掲載情報を流用して会社案内データファイルが作成される扱いになる。
【００３３】
ここで、図４に示したページ一覧画面において『会社情報』ページの編集ボタンをクリックすると、図６に示すような、ページ編集画面が表示される。さらに、このページ編集画面から、例えば、「ごあいさつ」コンテンツの編集ボタンをクリックすると、図７に示すような、ＨＰ掲載情報入力画面（「ごあいさつ」コンテンツ編集画面）が表示され、編集ボタンをクリックすることで入力可能になる。本入力画面では、役職、名前、画像及び挨拶文フィールドにそれぞれＨＰ掲載情報（31,32,33,34）を入力してある。
【００３４】
一方、図６に示したページ編集画面において「沿革」コンテンツの編集ボタンをクリックすると、図８に示すような、ＨＰ掲載情報入力画面（「沿革」コンテンツ編集画面）が表示され、編集ボタンをクリックすることでＨＰ掲載情報が入力可能になる。本入力画面では、年月と文章フィールドにそれぞれＨＰ掲載情報（35,36）を入力してある。
【００３５】
なお、図６に示した「会社概要」コンテンツと「主要取引先」コンテンツも、上述した「会社概要」コンテンツや「沿革」コンテンツと同様な手順で所定のフィールドにそれぞれのＨＰ掲載情報を入力してある（図示ぜず）。
これら「ごあいさつ」、「沿革」、「会社概要」及び「主要取引先」の各コンテンツ（『会社情報』ページからのリンク）のＨＰ掲載情報入力画面に入力された各ＨＰ掲載情報（31,32,33,34,35,36等）を用いてホームページが作成される。また、これら各ＨＰ掲載情報を流用して会社案内データファイルも作成される。
【００３６】
上記手順を踏むことで、図４に示した『会社情報』ページの入力が終了する。『トップページ』、『スタッフ紹介』、『求人情報』ページについても『会社情報』ページの入力と同様の手順で入力可能であるため説明を省略する。
本実施例では、上述した『会社情報』ページの他に、『トップページ』、『スタッフ紹介』及び『求人情報』ページからリンクが張られている各ＨＰ掲載情報入力画面から入力された各ＨＰ掲載情報も用いてホームページが作成される。しかし、『トップページ』、『スタッフ紹介』及び『求人情報』ページからリンクが張られている各ＨＰ掲載情報入力画面から入力された各ＨＰ掲載情報は、会社案内データファイルの作成には流用されない。
【００３７】
２．ホームページの表示
図９に、上記手順で作成されたホームページを表示した状態を示す。本図は、ホームページの『会社情報』タブをクリックして会社情報画面を表示した状態を示してある。「ごあいさつ」コンテンツで入力したＨＰ掲載情報（31,32,33,34）と、「沿革」コンテンツで入力したＨＰ掲載情報（35,36）が反映されていることがわかる。なお説明を省略した「主要取引先」及び「会社概要」コンテンツで入力されたＨＰ掲載情報もホームページに反映されている（図９における、会社概要の見出し以降の情報）。
【００３８】
３．会社案内データファイルの作成
本発明のホームページ作成システムは会社案内データファイルを作成する会社案内データファイル作成手段を備えることを特徴とするものである。このとき、会社案内データファイル作成手段が、ユーザーから入力されたＨＰ掲載情報を流用するとともに、ユーザーの会社案内掲載情報入力操作を受け付ける会社案内掲載情報入力画面を端末機の表示部に表示し、前記会社案内掲載情報入力画面に対してユーザーから入力された会社案内掲載情報も用いて、会社案内データファイルを作成することができる。
【００３９】
a）ＨＰ掲載情報の流用
上述したように、本実施形態では、図４の『会社情報』ページからリンクが張られている「ごあいさつ」、「沿革」、「会社概要」及び「主要取引先」の各コンテンツ（図６参照）のＨＰ掲載情報入力画面に入力された各ＨＰ掲載情報（31,32,33,34,35,36等）を流用して会社案内データファイルが作成される。
以降、会社案内掲載情報入力操作を受け付ける会社案内掲載情報入力画面について例示説明する。
【００４０】
b）会社案内掲載情報ページからの入力
図４に示したページ一覧画面において『会社案内掲載情報』ページの編集ボタンをクリックすると、図10に示すような、ページ編集画面が表示される。さらに、このページ編集画面から、例えば、「田舎暮らし物件の保有状況」コンテンツの編集ボタンをクリックすると、図11に示すような、会社案内掲載情報入力画面（「田舎暮らし物件の保有状況」コンテンツ編集画面）が表示され、編集ボタンをクリックすることで会社案内掲載情報を入力可能になる。本入力画面では、左文章フィールド及び右文章フィールドにそれぞれ会社案内掲載情報（51,52）を入力してある。
【００４１】
一方、図10に示したページ編集画面において、例えば、「Ｘ氏宅  リフォーム前」コンテンツの編集ボタンをクリックすると、図12に示すような、会社案内掲載情報入力画面（「Ｘ氏宅  リフォーム前」コンテンツ編集画面）が表示され、編集ボタンをクリックすることで会社案内掲載情報を入力可能になる。本入力画面では、掲載画像フィールドに会社案内掲載情報（53）としての写真２を入力してある。
【００４２】
なお、図10に示した「リフォーム実績」、「Ｘ氏宅  リフォーム後」、「Ｙ氏宅  リフォーム前」及び「Ｙ氏宅  リフォーム後」の各コンテンツも、「田舎暮らし物件の保有状況」コンテンツや「Ｘ氏宅  リフォーム前」コンテンツと同様な手順で所定のフィールドにそれぞれ会社案内掲載情報が入力される。
これら「田舎暮らし物件の保有状況」、「リフォーム実績」、「Ｘ氏宅  リフォーム前」、「Ｘ氏宅  リフォーム後」、「Ｙ氏宅  リフォーム前」及び「Ｙ氏宅  リフォーム後」の各コンテンツ（『会社案内掲載情報』ページからのリンク）の会社案内掲載情報入力画面に入力された各会社案内掲載情報を用いて会社案内データファイルが作成される。しかし、本実施形態では、これら各会社案内掲載情報はホームページの作成に用いられない（入力が会社案内データファイルにのみ反映され、ホームページには反映されない）。
【００４３】
c）表紙・裏表紙イメージページからの入力
一方、図４に示したページ一覧画面において『表紙・裏表紙イメージ』ページの編集ボタンをクリックすると、図13に示すような、ページ編集画面が表示される。さらに、このページ編集画面から、例えば、「ヘッダイメージ」コンテンツの編集ボタンをクリックすると、図14に示すような、会社案内掲載情報入力画面（「ヘッダイメージ」コンテンツ編集画面）が表示される。ユーザーは所望のヘッダイメージを選択入力する。図14では、会社案内掲載情報（54）としてビジネスのヘッダイメージを選択入力した状態を示してある。
この入力を用いて会社案内データファイルが作成されるが、本実施例では、この入力はホームページの作成に用いられない。
【００４４】
d）会社案内データファイル
以上で、ＨＰ掲載情報と会社案内掲載情報の入力が完了したので、例えば、図14における、会社案内印刷タブをクリックすると、ｐｄｆファイル形式の会社案内データファイルが作成され、作成された会社案内データファイルがユーザー端末機７の表示部に表示される。
それとともに、この会社案内データファイルがサーバー装置８の記憶装置に記憶される。
【００４５】
作成された会社案内データファイルを図１及び図２に示す。本会社案内データファイルはＡ３サイズで２ページからなる。図１は会社案内データファイルの１ページ目（会社案内パンフレットの表紙及び裏表紙に相当）、図２は会社案内データファイルの２ページ目（会社案内パンフレットの見開き面に相当）を示すものである。
両図に示すように、『会社情報』ページから入力されてホームページの作成に用いられたＨＰ掲載情報３（31,32,33,34,35,36等）に加えて、『会社案内掲載情報』及び『表紙・裏表紙イメージ』ページから入力された会社案内掲載情報５（51,52,53等）も、会社案内データファイル１（２）に反映されていることがわかる。なお、図１及び図２において、ＨＰ掲載情報３を流用した情報が表示されている箇所は点線で、会社案内掲載情報５を用いた情報が表示されている箇所は太い実線で囲ってある。
【００４６】
この会社案内データファイルは、会社案内パンフレットを作成するために用いることができる。例えば、Ａ３用紙に会社案内データファイルの１ページ目と２ページ目を割り振って両面印刷し、１ページ目（会社案内パンフレットの表紙及び裏表紙に相当）が外側を向くように長手方向の中央から折り曲げて、表紙及び裏表紙を含めて４ページから構成されるＡ４サイズの会社案内パンフレットとすればよい。印刷は、自社で行ったり会社案内データファイルを印刷業者に渡して行ったりすることができる。
【００４７】
以上説明した本発明のホームページ作成システムに用いられているプログラムは、ユーザーのホームページ掲載情報入力操作を受け付けるＨＰ掲載情報入力画面を端末機の表示部に表示するステップと、前記ＨＰ掲載情報入力画面に対してユーザーから入力されたＨＰ掲載情報を用いてホームページを作成するステップを備えたホームページ作成プログラムにおいて、ユーザーから入力された前記ＨＰ掲載情報を流用して会社案内データファイルを作成するステップを備えた、会社案内データファイル作成機能付きのホームページ作成プログラムである。
このとき、ユーザーから入力されたＨＰ掲載情報を流用して会社案内データファイルを作成するステップが、ユーザーから入力されたＨＰ掲載情報を流用するとともに、ユーザーの会社案内掲載情報入力操作を受け付ける会社案内掲載情報入力画面を端末機の表示部に表示するステップと、前記会社案内掲載情報入力画面に対してユーザーから入力された会社案内掲載情報も用いて、会社案内データファイルを作成するステップを備えた、会社案内データファイル作成機能付きのホームページ作成プログラムとすることができる。
また、会社案内データファイル作成手段で作成された会社案内データファイルがｐｄｆ形式であり、該ｐｄｆ形式の会社案内データファイルを記憶装置に記憶するステップを備えた、会社案内データファイル作成機能付きのホームページ作成プログラムとすることもできる。
【００４８】
以上、特定の実施形態及び実施例を参照して本発明を説明したが、本発明は上記実施形態に限定されるものではなく、当該技術分野における熟練者等により、本出願の願書に添付された特許請求の範囲から逸脱することなく、種々の変更及び修正が可能である。
【００４９】
例えば、上記実施形態では、ユーザーが操作するユーザー端末機と、当該ホームページ作成サービスを提供する運営者が管理するサーバー装置を有するＡＳＰサービスを例示したが、これに限定されず、サーバー装置を用いることなくユーザーが操作する端末機でシステムを完結させてもよい。
【００５０】
例えば、上記実施形態では、作成された会社案内データファイルは２ページであったが、これに限定されず、３ページ以上であってもよい。
【図面の簡単な説明】
【００５１】
【図１】会社案内データファイルの１ページ目（表紙・裏表紙面）を示した図である。
【図２】会社案内データファイルの２ページ目（見開き面）を示した図である。
【図３】会社案内データファイル作成機能付きのホームページ作成システムの構成を説明するための図である。
【図４】ＨＰ掲載情報入力画面及び会社案内掲載情報入力画面にリンクが張られているページ一覧画面を示す図である。
【図５】ＨＰ掲載情報と会社案内掲載情報の関係を示すための図である。
【図６】図４の『会社情報』ページの編集ボタンをクリックした状態を示す図である。
【図７】ＨＰ掲載情報入力画面を示す図であって、図６の「ごあいさつ」コンテンツの編集ボタンをクリックしてＨＰ掲載情報入力を入力した状態を示す図である。
【図８】ＨＰ掲載情報入力画面を示す図であって、図６の「沿革」コンテンツの編集ボタンをクリックしてＨＰ掲載情報を入力した状態を示す図である。
【図９】作成されたホームページの「会社概要」ページを表示した状態を示す図である。
【図１０】図４の『会社案内掲載情報』ページの編集ボタンをクリックした状態を示す図である。
【図１１】会社案内掲載情報入力画面を示す図であって、図10の「田舎暮らし物件の保有状況」コンテンツの編集ボタンをクリックして会社案内掲載情報を入力した状態を示す図である。
【図１２】会社案内掲載情報入力画面を示す図であって、図10の「Ｘ氏宅  リフォーム前」コンテンツの編集ボタンをクリックして会社案内掲載情報を入力した状態を示す図である。
【図１３】図４の『表紙・裏表紙イメージ』ページの編集ボタンをクリックした状態を示す図である。
【図１４】会社案内掲載情報入力画面を示す図であって、図13の「ヘッダイメージ」コンテンツの編集ボタンをクリックし会社案内掲載情報を入力した状態を示す図である。
【符号の説明】
【００５２】
１  会社案内データファイル（１ページ目）
２  会社案内データファイル（２ページ目）
３   ＨＰ掲載情報
31  役職情報
32  名前情報
33  写真情報（写真１）
34  挨拶文情報
35  年月情報
36  文章情報
５  会社案内掲載情報
51  左文章情報
52  右文章情報
53  写真情報（写真２）
54  ヘッダイメージ情報
７    ユーザー端末機
８    サーバー装置
９    インターネット
【図５】
2010118029.tif 000003
【図１】
2010118029.tif 000004
【図２】
2010118029.tif 000005
【図３】
2010118029.tif 000006
【図４】
2010118029.tif 000007
【図６】
2010118029.tif 000008
【図７】
2010118029.tif 000009
【図８】
2010118029.tif 000010
【図９】
2010118029.tif 000011
【図１０】
2010118029.tif 000012
【図１１】
2010118029.tif 000013
【図１２】
2010118029.tif 000014
【図１３】
2010118029.tif 000015
【図１４】
2010118029.tif 000016